(57)【要約】【課題】需要者に与える影響力の高い広告動画を選出するとともに、選出された広告動画の作成者が適正な待遇を受けることを可能とする。【解決手段】複数の広告動画の中からリコメンド動画として選ばれる広告動画への投票を、投稿者の端末およびユーザの端末から受け付ける投票受付部と、投票のうち、所定の条件により、各広告動画に投票された票の総数、または投稿者による投票に対して投稿の評価値に応じて所定値が重み付けされた値である投票評価値のいずれの値を用いてリコメンド動画を選出するかを決定する決定部と、各広告動画の投票総数または投票評価値を算出し、算出した値が最も大きい広告動画をリコメンド動画として選出する選出部と、リコメンド動画の作成者および当該リコメンド動画に投票した投稿者それぞれに支払われる報酬を所定の算出基準に基づいて算出する算出部と、を備える。【選択図】図２
2020057323.tif 000002
【特許請求の範囲】
【請求項１】
ネットワーク上において記事を投稿する投稿者の端末と、前記投稿者による投稿をフォローするフォロワーを含むユーザの端末とネットワークを介して接続された広告動画を管理する広告動画管理装置であって、
広告主からの広告動画の作成依頼に応じて、広告動画の応募を受け付ける広告動画受付部と、
前記広告動画受付部により受け付けられた複数の広告動画の中から広告主に対してリコメンドされるリコメンド動画として選ばれる広告動画への投票を、前記投稿者の端末および前記ユーザの端末から受け付ける投票受付部と、
前記投票受付部により受け付けられた投票のうち、所定の条件により、各広告動画に投票された票の総数、または前記投稿者の票に対して前記投稿者の投稿に対する評価度合いを示す評価値に応じて所定値が重み付けされた値である投票評価値のいずれの値を用いて広告主にリコメンドされる広告動画となるリコメンド動画を選出するかを決定する決定部と、
前記決定部による決定に応じて、各広告動画の投票総数、または投票評価値を算出し、算出した値が最も大きい広告動画をリコメンド動画として選出する選出部と、
前記選出部により選出されたリコメンド動画の作成者および当該リコメンド動画に投票した投稿者それぞれに支払われる報酬を所定の算出基準に基づいて算出する算出部と、
を備えることを特徴とする広告動画管理装置。
【請求項２】
前記決定部は、前記評価値として、前記投稿者の票に対して当該投稿者による前記ユーザへの影響力を示す影響値、または当該投稿者により投稿された投票に関する記事による反響の度合いを示す反響値の少なくともいずれか一つの値を用いること、
を特徴とする請求項１に記載の広告動画管理装置。
【請求項３】
前記決定部は、前記投稿者のフォロワー数を前記影響値として、前記投票に関する記事へのコメント件数、前記投票に関する記事のリツイート件数、または前記投票に関する記事へのコメントに含まれる文字総数の少なくともいずれか一つ以上を前記反響値として用いること、
を特徴とする請求項２に記載の広告動画管理装置。
【請求項４】
前記投稿者の識別情報に、前記投稿者と関連性のある商品またはサービスの種類名と、前記投稿者のフォロワー数とを対応付けて記憶する記憶部と、
前記広告主から広告対象となる商品またはサービスの名称を含む広告動画の作成依頼を受信する受信部と、
をさらに備え、
前記決定部は、前記記憶部を参照して、前記受信部により受信した広告動画の作成依頼に含まれる商品名またはサービス名を含む前記種類名が対応付けられた投稿者の識別情報が所定数以上あるか否かを判定し、前記投稿者の識別情報が所定数以上あると判定した場合に、前記投票評価値の値を用いて前記リコメンド動画を選出するように決定すること、
を特徴とする請求項１〜３のいずれか一つに記載の広告動画管理装置。
【請求項５】
前記投稿者の識別情報に、前記投稿者により投稿された記事である投稿記事に含まれる商品またはサービスの種類名と、フォロワー数とを対応付けて記憶する記憶部と、
前記広告主から広告対象となる商品またはサービスの名称を含む広告動画の作成依頼を受信する受信部と、
をさらに備え、
前記決定部は、前記記憶部を参照して、前記受信部により受信した広告動画の作成依頼に含まれる商品名またはサービス名を抽出し、抽出した商品名またはサービス名を含む投稿記事に対応付けられた投稿者の識別情報が所定数以上あるか否かを判定し、前記投稿者の識別情報が所定数以上あると判定した場合に、前記投票評価値の値を用いて前記リコメンド動画を選出するように決定すること、
を特徴とする請求項１に記載の広告動画管理装置。
【請求項６】
前記投稿者の投稿ページから前記反響値を取得する取得部、
をさらに備え、
前記決定部は、前記取得部により取得された反響値が所定値以上である場合に、前記投票評価値を用いて前記リコメンド動画を選出するように決定すること、
を特徴とする請求項２または３に記載の広告動画管理装置。
【請求項７】
ネットワーク上において記事を投稿する投稿者の端末と、前記投稿者による投稿をフォローするフォロワーを含むユーザの端末とがネットワークを介して接続された広告動画管理装置に、
広告主からの広告動画の作成依頼に応じて、広告動画の応募を受け付ける広告動画受付ステップと、
前記広告動画受付ステップにより受け付けられた複数の広告動画の中から広告主に対してリコメンドされるリコメンド動画として選ばれる広告動画への投票を、前記投稿者の端末および前記ユーザの端末から受け付ける投票受付ステップと、
前記投票受付ステップにより受け付けられた投票のうち、所定の条件により、各広告動画に投票された票の総数、または前記投稿者の票に対して前記投稿者の投稿に対する評価度合いを示す評価値に応じて所定値が重み付けされた値である投票評価値のいずれの値を用いて広告主にリコメンドされる広告動画となるリコメンド動画を選出するかを決定する決定ステップと、
前記決定ステップにより決定に応じて、各広告動画の投票総数、または投票評価値を算出し、算出した値が最も大きい広告動画をリコメンド動画として選出する選出ステップと、
前記選出ステップにより選出されたリコメンド動画の作成者および当該リコメンド動画に投票した投稿者それぞれに支払われる報酬を所定の算出基準に基づいて算出する算出ステップと、
を含むことを特徴とする広告動画管理方法。
【請求項８】
ネットワーク上において記事を投稿する投稿者の端末と、前記投稿者による投稿をフォローするフォロワーを含むユーザの端末とがネットワークを介して接続された広告動画管理装置のコンピュータに、
広告主からの広告動画の作成依頼に応じて、広告動画の応募を受け付ける広告動画受付機能と、
前記広告動画受付機能により受け付けられた複数の広告動画の中から広告主に対してリコメンドされるリコメンド動画として選ばれる広告動画への投票を、前記投稿者の端末および前記ユーザの端末から受け付ける投票受付機能と、
前記投票受付機能により受け付けられた投票のうち、所定の条件により、各広告動画に投票された票の総数、または前記投稿者の票に対して前記投稿者の投稿に対する評価度合いを示す評価値に応じて所定値が重み付けされた値である投票評価値のいずれの値を用いて広告主にリコメンドされる広告動画となるリコメンド動画を選出するかを決定する決定機能と、
前記決定機能により決定に応じて、各広告動画の投票総数、または投票評価値を算出し、算出した値が最も大きい広告動画をリコメンド動画として選出する選出機能と、
前記選出機能により選出されたリコメンド動画の作成者および当該リコメンド動画に投票した投稿者それぞれに支払われる報酬を所定の算出基準に基づいて算出する算出機能と、
を実現させることを特徴とする広告動画管理プログラム。
【発明の詳細な説明】
【技術分野】
【０００１】
この発明は、広告動画管理装置、広告動画管理方法および広告動画管理プログラムに関する。
【背景技術】
【０００２】
近年、商品やサービスの宣伝広告の方法として、放送波を用いたテレビ上のコマーシャルに加え、インターネット等のネットワークシステムを用いた広告コンテンツの配信が主流となっており、広告の配信方法や広告コンテンツの作成方法に関する技術が多数開発されている。
【０００３】
例えば、広告の配信方法として、バナー広告のように広告コンテンツをインターネット等のネットワークを介して配信する方法や、放送波を利用した広告コンテンツの放送とネットワークを介した広告コンテンツを連携させる方法などが提案されている（例えば、特許文献１）。
【０００４】
また、ネットワーク上で広告コンテンツを配信するための動画コンテンツの編集アプリを動画コンテンツの作成者に提供し、作成された動画コンテンツの掲載者を募り、動画コンテンツの作り手と掲載者に報酬や掲載料を支払うシステムなども提案されている（例えば、特許文献２）。
【先行技術文献】
【特許文献】
【０００５】
【特許文献１】特開２０１６−２０８２８９号公報
【特許文献２】特開２０１５−０９０５０９号公報
【発明の概要】
【発明が解決しようとする課題】
【０００６】
しかしながら、広告主は、より購買意欲をもたらし販売促進に繋がる質の高い内容の広告コンテンツが、適切な需要者に拡散力のある方法で提供されることを要望するところ、とりわけ、作成された広告コンテンツの内容が適正に評価されるシステムが乏しいのが現状である。また、それゆえ、広告コンテンツの作成者が広告コンテンツの質に応じて適切に評価されることが難しいものとなっている。
【０００７】
そこで、本発明は、需要者に与える影響力の高い広告動画を選出するとともに、選出された広告動画の作成者が適正な待遇を受けることを可能とする広告動画管理装置、広告動画管理方法および広告動画プログラムを提供することを目的とする。
【課題を解決するための手段】
【０００８】
上記課題を解決するため、本発明に係る広告動画管理装置は、ネットワーク上において記事を投稿する投稿者の端末と、投稿者による投稿をフォローするフォロワーを含むユーザの端末とネットワークを介して接続された広告動画を管理する広告動画管理装置であって、広告主からの広告動画の作成依頼に応じて、広告動画の応募を受け付ける広告動画受付部と、広告動画受付部により受け付けられた複数の広告動画の中から広告主に対してリコメンドされるリコメンド動画として選ばれる広告動画への投票を、投稿者の端末およびユーザの端末から受け付ける投票受付部と、投票受付部により受け付けられた投票のうち、所定の条件により、各広告動画に投票された票の総数、または投稿者による投票に対する評価度合いを示す評価値に応じて所定値が重み付けされた値である投票評価値のいずれの値を用いて広告主にリコメンドされる広告動画となるリコメンド動画を選出するかを決定する決定部と、決定部により決定されたリコメンド動画の選出に用いる値を算出し、算出した値が最も大きい広告動画をリコメンド動画として選出する選出部と、選出部により選出されたリコメンド動画の作成者および当該リコメンド動画に投票した投稿者それぞれに支払われる報酬を所定の算出基準に基づいて算出する算出部と、を備える。
【発明の効果】
【０００９】
本発明によれば、需要者に与える影響力の高い広告動画を選出するとともに、選出された広告動画の作成者が適正な待遇を受けることを可能とする。
【図面の簡単な説明】
【００１０】
【図１】本実施形態における広告動画管理システムの全体構成の一例を示す図である。
【図２】本実施形態における広告動画管理装置の機能構成の一例を示すブロック図である。
【図３】図３（ａ）は、投稿者登録情報の一例を示す図である。図３（ｂ）は、作成者登録情報の一例を示す図である。図３（ｃ）は、広告主登録情報の一例を示す図である。
【図４】本実施形態における投稿管理情報の一例を示す図である。
【図５】本実施形態における投稿管理情報の他の例を示す図である。
【図６】本実施形態における投票情報の一例を示す図である。
【図７】図７（ａ）は、投稿者のフォロワー数に応じて設定された重み付け条件の一例を示す図である。図７（ｂ）は、投稿者の投票記事へのコメント件数に応じて設定された重み付け条件の一例を示す図である。図７（ｃ）は、投稿者の投票記事のリツイート件数に応じて設定された重み付け条件の一例を示す図である。
【図８】本実施形態における投稿者の投稿ページにおける投票記事の一例を示す図である。
【図９】本実施形態における広告主端末の機能構成の一例を示すブロック図である。
【図１０】本実施形態における作成者端末の機能構成を示すブロック図である。
【図１１】本実施形態における投稿者端末の機能構成を示すブロック図である。
【図１２】本実施形態における広告動画管理装置による投票数の算出方法の決定処理の流れを示すフローチャートである。
【図１３】本実施形態における広告動画管理システムによるリコメンド動画の作成および選出に対する報酬支払処理の流れを示すシーケンス図である。
【図１４】本実施形態における広告動画管理システムによるリコメンド動画の選出処理の流れを示すシーケンス図である。
【図１５】本実施形態における広告動画管理装置を実現可能なコンピュータの一例を示すハードウェア構成図である。
【発明を実施するための形態】
【００１１】
以下に、図面を用いて本発明に係る広告動画管理システム、広告動画管理装置、広告動画管理方法及び広告動画管理プログラムの実施の形態を説明する。なお、この実施の形態により本発明が限定されるものではない。
【００１２】
図１は、本実施形態における広告動画管理システムの概要を示す概略図である。図１に示すように、広告動画管理システム１は、広告動画を管理する広告動画管理装置１００と、広告主が所有する広告主端末２００と、広告動画の作成者（以下、特に明示する場合を除き作成者とする。）が所有する作成者端末３００と、ＳＮＳ（Ｓｏｃｉａｌ  Ｎｅｔｗｏｒｋｉｎｇ  Ｓｅｒｖｉｃｅ）上に記事を投稿する投稿者が所有する投稿者端末（インフルエンサー）４００ａ、４００ｂと、投稿者の記事をＳＮＳ上で閲覧する閲覧者が所有するユーザ端末(フォロワー、閲覧者)２００ｂ、２００ｃとがネットワーク１０を介して相互通信可能に接続されている。なお、本実施形態においては、投稿者による記事の投稿先として、広告動画管理装置１００により管理されるＳＮＳサイトを例示するが、ネットワーク上における投稿であればよく、これに限定されない。
【００１３】
ここで、広告主とは、商品またはサービスに係る広告の提供を依頼する人のことであり、作成者とは、広告動画管理装置１００を介した広告主の依頼に応じて広告動画を作成する人のことである。また、本実施形態における投稿者とは、ブログやＳＮＳ上に記事を投稿することによって不特定多数の閲覧者に強い影響を与える投稿者のことであり、いわゆるインフルエンサーとも称される人のことである。また、ユーザとは、インフルエンサーを含む投稿者の記事の閲覧者のことであり、本実施形態においては、ユーザを投稿者と区別する。また、フォロワーとは、インフルエンサーを含む投稿者の記事を閲覧するために投稿者のページをフォローするユーザのことである。ここで、フォローするとは、ＳＮＳなどにおける投稿者の記事を閲覧するために投稿ページの更新に追随するユーザのことである。具体的には、投稿者の投稿先ページの画面上に表示されるフォロー機能のアイコンをオンにすること等により、ユーザ端末が投稿者のフォロワーとして関連付けられる。なお、図１では、作成者端末３００ａ、３００ｂ（以下、特に明示する場合を除き、作成者端末３００と総称する。）と、投稿者端末４００ａ、４００ｂ（以下、特に明示する場合を除き、投稿者端末４００と総称する。）を各２台、ユーザ端末５００を各１台図示するが、台数はこれに限定されずそれぞれ複数の端末がネットワーク１０に接続される。
【００１４】
図２は、本実施形態における広告動画管理装置１００の機能構成の一例を示すブロック図である。以下、図２を用いて広告動画管理装置１００の機能構成について説明する。
【００１５】
図２に示すように、広告動画管理装置１００は、制御部１０１と、記憶部１１０と、通信制御インターフェース部１２０とを備えている。
【００１６】
記憶部１１０は、登録情報データベース１１１と、投稿管理情報データベース１１２と、投票情報データベース１１３と、報酬情報データベース１１４とを記憶する。
【００１７】
登録情報データベース１１１には、登録情報が格納されている。ここで、登録情報には、投稿者登録情報、作成者登録情報、広告主登録情報が含まれ、投稿者、作成者、広告主それぞれの識別情報に、端末情報、個人情報などが対応付けられている。図３は、本実施形態における投稿者登録情報、作成者登録情報、広告主登録情報の一例を示す図である。図３（ａ）は、投稿者登録情報の一例を示す。投稿者登録情報は、投稿者が商品またはサービスの広報に関する記事を含む多種多用な記事を投稿する利用者として広告動画管理装置１００に登録されるための情報で、投稿者ＩＤと、氏名と、生年月日と、住所と、電話番号と、メールアドレスと、関連情報と、口座情報とが対応付けられた情報である。なお、投稿者登録情報として、少なくとも投稿者ＩＤと、氏名と、口座情報が含まれていればよい。図３（ａ）では、投稿者登録情報の一例として、投稿者ＩＤ「mｃ００１２３」に、氏名「佐藤〇〇」、生年月日「１９８８年２月１日」、住所「東京都武蔵野市××」、電話番号「０３−××」、メールアドレス「ｓａｔｏ＠××」、関連情報「衣料品、化粧品」、口座情報「ｍｃ銀行本店普通口座１２３４５６」が対応付けられている。ここで、関連情報とは、投稿者に関連のある商品またはサービスであり、投稿者の趣味や興味のあるものとして投稿者により申請される項目であってもよいし、投稿者の記事に含まれる画像や文章から抽出される項目であってもよい。図３（ｂ）は、作成者登録情報の一例を示す図である。作成者登録情報とは、広告動画の作成者が広告動画管理装置１００を介して広告主に作成した広告動画を提供するとともに、広告主から報酬を受け取るために必要な情報であり、作成者ＩＤに、氏名と、生年月日と、住所と、電話番号と、メールアドレスと、関連情報と、口座情報とが対応付けられた情報である。なお、作成者登録情報として、少なくとも投稿者ＩＤと、氏名と、口座情報が含まれていればよい。図３（ｂ）では、作成者登録情報の一例として、作成者ＩＤ「ｐｒ０４５６」に、氏名「田中〇〇」、生年月日「１９８０年７月１日」、住所「東京都港区××」、電話番号「０３−××」、メールアドレス「ｔａｎａｋａ＠××」、口座情報「ｐｒ銀行丸の内支店普通口座７８９４５６」が対応付けられている。図３（ｃ）は、広告主登録情報の一例を示す。広告主登録情報とは、商品の販売者またはサービスの提供者などの広告主が広告動画管理装置１００からリコメンド画像の提供を依頼するために必要な情報であり、広告主ＩＤに、法人名と、作成依頼情報とが対応付けられた情報である。図３（ｃ）では、広告主登録情報の一例として、広告主ＩＤ「ｃｌ００２５８」に、法人名「株式会社〇〇」、作成依頼情報が対応付けられている。また、作成依頼情報には、依頼ＩＤ「ｃ０１２３４」、商品・サービス名「ファンデーション」、製品名「ｃｏｆｒａｉｇｅ」、商品金額「８８００円」、対象需要者「女性、２０代〜４０代」が含まれる。なお、作成依頼情報として、少なくとも、商品・サービス名と、対象需要者が含まれていればよい。
【００１８】
投稿管理情報データベース１１２には、投稿管理情報が格納されている。ここで、投稿管理情報とは、広告動画管理装置１００により管理されるＳＮＳサイト上における投稿者の投稿ページまたは投稿ページに投稿された記事を管理する情報であって、投稿者ＩＤに、フォロワー数、関連商品等の種類名、投稿情報等が対応付けられている。図４は、本実施形態における投稿管理情報の一例を示す図である。図４に示すように、投稿管理情報として、投稿者ＩＤ「ｍｃ００１２３」に、フォロワー数「５００」、関連商品等の種類名「衣料品、化粧品」、投稿情報が対応付けられている。ここで、投稿情報には、投稿先情報「ｈｔｔｐｓ：//ｘｘ」、記事ＩＤ「ａ０７２９」、投稿日時「２０１８０７１５」、いいね！件数「１２００」、コメント数「５００」、リツイート件数「８０」が含まれる。ここで、投稿先情報とは、投稿者により記事が投稿されるインターネットなどのネットワーク上のページ情報であり、本実施形態では、当該ページは広告動画管理装置１００により管理されるＳＮＳ上の投稿者のページである。しかし、これに限定されず、投稿先情報は、広告動画管理装置１００により管理されない外部のＳＮＳや、個人ブログのページなどであってもよい。また、関連商品等の種類名とは、投稿者または投稿者による投稿記事に関連のある商品またはサービスの種類名のことであり、当該種類名は、広告動画管理システム１の管理者などによりあらかじめ定められた各商品またはサービスが分類される所定のカテゴリーの名称である。特に、投稿者が有するフォロワー数が多いほど、関連商品の種類名に含まれる商品またはサービスに関する記事の投稿により当該商品またはサービスへの注目が高まることが予測される。また、各投稿者が有するフォロワー数が登録済みの投稿者が有するフォロワー数の平均値よりも少ないような場合であっても、同一の関連商品等の種類名が対応付けられた投稿者ＩＤの数が多ければ、同様に、各投稿者による投稿記事が複数掲載されることにより当該商品またはサービスへの注目が高まることが予測される。例えば、図４に示す関連商品等の種類名「衣料品」には、フォーマルスーツ、カジュアルウェア、部屋着、着物、下着などの商品が含まれ、「化粧品」には、化粧水、乳液、口紅、ファンデーション、ネイルなどの商品が含まれる。また、図５は、本実施形態における投稿管理情報の他の例を示す図である。図５に示すように、投稿者ＩＤ「ｍｃ００１２３」に、フォロワー数「５００」、投稿情報が対応付けられている。ここで、投稿情報には、投稿商品等「レストラン」、投稿先情報「ｈｔｔｐｓ：//ｘｘ」、記事ＩＤ「ａ０７２９」、投稿日時「２０１８０７１５」、いいね！件数「２８０」、コメント数「５０」、リツイート件数「３０」等が含まれる。なお、投稿商品等とは、記事ＩＤにより識別された記事に含まれる商品のことである。なお、本実施形態では、投稿者による投稿先情報として、広告動画管理装置１００により管理されるＳＮＳサイトのアドレス情報を例示するが、投稿管理情報を取得可能なページのアドレス情報であれば、広告動画管理装置１００により管理されないＳＮＳサイトや、投稿者個人のインターネット上のブログなどのアドレ��情報であってもよい。
【００１９】
投票情報データベース１１３には、投票情報が格納されている。ここで、投票情報とは、複数の作成者により作成された各広告動画に対する投稿者およびユーザによる投票に関する情報であり、広告依頼ＩＤに、広告動画ＩＤ、投票総数、投票評価値、投票記事の記事ＩＤが対応付けられる。また、投票には、投稿者による投票と、ユーザによる投票が含まれる。投稿者による投票とは、投稿者により投票対象となる広告動画をお薦めする投票記事が投稿されることである。また、ユーザによる投票とは、ユーザにより、投票記事に対して共感や同感などの好評価を示す情報が、該投票記事の投稿先ページを介して広告動画管理装置１００に送信される行為である。例えば、ユーザ端末５００から投票記事の投稿先ページに表示された「いいね！」アイコンが押下操作されることにより、投票されることとなる。また、投票総数とは、各広告動画に投票された票の総数であり、投稿者による投票記事の投稿も、ユーザによる投票記事に対する好評価を示す情報の送信もそれぞれ１票として集計される数である。また、投票評価値とは、広告動画に投票された投稿者による各投票に対して、該投票を行った投稿者の評価値が特定され、該評価値に該投稿者の投票記事により獲得したユーザからの投票数（好評価を示す情報の送信数）を乗じた値を集計した総合評価のことである。例えば、フォロワー数が評価値として用いられる場合であって、ある広告動画に投票した投稿者が２名であった場合には、それぞれの投票記事に対するいいね！数に、それぞれが有するフォロワー数に応じた重み付け値を乗じた値が求められ、求められた値が２名分集計された値が投票評価値となる。なお、本実施形態において、上記を投票評価値の一例とするが、他の例として、投稿者の各１票が該投稿者の評価値に換算された値が集計された値としてもよい。この場合、例えば、フォロワー数が評価値として用いられる場合であって、ある広告動画に投票した投稿者が２名であった場合には、それぞれの投稿者の評価値が特定され、該評価値が集計された値が投票評価値となる。また、評価値とは、投稿者の投稿を評価する値のことであり、投稿者の影響値と、投稿者により投稿された投票記事への反響値とが含まれる。また、影響値とは、投稿者が与えるユーザへの影響力を示す値であり、具体的には、投稿者が有するフォロワー数などが該当する。また、反響値とは、投稿者により投稿された投票記事による反響の度合いを示す値であり、具体的には、投票記事へのコメント件数、投票記事のリツイート件数、または投票記事へのコメントに含まれる文字総数などの値である。詳細は後述するが、この投票総数、または投票評価値は、広告動画管理装置１００によりリコメンド動画の選出に用いられる値となる。ここで、リコメンド動画とは、投票結果に基づいて選出される、広告主に需要者に与える影響力が大きい広告動画としてリコメンドされる広告動画である。なお、投票記事の記事ＩＤは、投稿者による投票記事の投稿があった場合に対応付けられる。
【００２０】
図６は、本実施形態における投票情報の一例を示す図である。図６が示す投票情報においては、広告依頼ＩＤ「ｃ０１２３４」に、広告動画ＩＤ「ａ００００１」、投票総数「２２５６３」、投票評価値「５５６２６」、記事ＩＤ「ａ０７２９、ａ０９８２、ａ０９９４」が対応付けられている。
【００２１】
また、図７（ａ）〜（ｄ）は、本実施形態における重み付け条件の例を示す図である。図７（ａ）は、投稿者のフォロワー数に応じて設定された重み付け条件の一例を示す。ここでは、フォロワー数「１００〜５００」に、重み付け値「５」が対応付けられており、「１００〜５００人」のフォロワーを有する投稿者の投票には、１票に対して重み付け値「５」が付与されることとなる。また、フォロワー数「１００１〜３００００」には、重み付け値「１００」が対応付けられている。また、図７（ｂ）は、投稿者の投票記事へのコメント件数に応じて設定された重み付け条件の一例を示す。ここでは、コメント件数「１０〜５０」に、重み付け値「５」が対応付けられており、投稿者の投票記事に対するコメント件数が「１０〜５０」件である場合に、重み付け値「５」が付与されることとなる。図７（ｃ）は、投稿者の投票記事のリツイート件数に応じて設定された重み付け条件の一例を示す。ここで、リツイート件数とは、投稿者の投票記事が閲覧者により他のページにおいて引用された件数を示す。図７（ｃ）では、リツイート件数「１〜５０」に、重み付け値「５」が、リツイート件数「１００１〜３０００」に、重み付け値「１００」が対応付けられている。図７（ｄ）は、投稿者の投票記事へのコメント総文字数に応じて設定された重み付け条件の一例を示す。ここでは、コメント総文字数「１０００〜５０００」に、重み付け値「５」が、コメント総文字数「１００００１〜３０００００」に、重み付け値「１００」が対応付けられている。ここで、コメント総文字数とは、投票者の投票記事へのコメント全ての文字数である。相対的に、コメント総文字数が多いほど議論や評論が熱くなされたと評価することができる。このように、フォロワー数、コメント件数、リツイート件数、コメント総文字数が多くなるに応じて、大きい重み付け値が設定されることによって、投稿者には、ユーザに与える影響力の多寡に応じた評価値が付与されることとなる。
【００２２】
また、投票記事とは、投稿者が投票する広告動画として、広告動画管理装置１００により提示された複数の広告動画の中から一つの広告動画の広告動画ＩＤを明示した上で感想やお薦めの理由などが記載された記事である。
【００２３】
図８は、本実施形態における投稿者の投稿ページにおける投票記事の一例を示す図である。図８に示すように、投票記事の上部には、投稿者名「ｈａｎａｋｏ」と当該投稿者のフォロワー数「３５６人」が表示されている。また、その下段に投稿者「ｈａｎａｋｏ」が投票する広告動画「ａ００００１」が表示されている。また、その下段には、広告動画「ａ００００１」の感想が記された文章と、当該投票記事に対する閲覧者による共感を示すアイコン「いいね！」が押下された件数「１９０」が表示されている。さらに、当該投票記事に対するコメント「２２０」と、コメント内容が表示され、各コメントに対する書き込みを示す「返信」件数が表示されている。
【００２４】
報酬情報データベース１１４には、報酬情報が格納されている。ここで、報酬情報とは、広告動画の作成者および所定の投稿者に対して広告主から支払われる報酬に関する情報であり、報酬算定基準と、報酬算定基準に基づいて算出された各報酬額を示す情報である。例えば、リコメンド動画に選出された作成者に支払われる報酬算定基準として、投票総数または投票評価値に応じて所定額が定められ、リコメンド動画に投票した投稿者に支払われる報酬算定基準として、フォロワー数、コメント件数、いいね！件数、リツイート件数に応じた所定額が定められてもよい。
【００２５】
次に、制御部１０１は、受付部１０２と、取得部１０３と、決定部１０４と、選出部１０５と、算出部１０６と、決済処理部１０７と、送受信部１０８とを備える。なお、受付部１０２は、本発明における広告動画受付部と、投票受付部に相当する。また、送受信部１０８は、本発明における受信部に相当する。
【００２６】
受付部１０２は、送受信部１０８を介して受信した外部装置からの各種情報を受け付ける。例えば、受付部１０２は、広告主端末２００から広告動画の作成依頼を受信すると、受信した広告動画の作成依頼に含まれる情報を登録情報データベース１１１に保存する。ここで、広告動画とは、商品またはサービスをネットワーク上で広告するためのプロモーション動画のことである。また、広告動画の作成依頼には、広告主ＩＤ、商品名またはサービス名、製品名、対象需要者の性別や年齢などが含まれる。また、受付部１０２は、広告主端末２００から広告動画の作成依頼を受け付けた場合に、作成者端末３００から広告動画の応募を受け付ける。ここで、広告動画の応募とは、広告動画管理装置１００による広告動画の作成依頼または募集に対する応募であり、作成者により作成された広告動画が選考候補として広告動画管理装置１００に送信されることである。さらに、受付部１０２は、投稿者端末４００やユーザ端末から投票を受け付ける。具体的には、受付部１０２は、投稿者端末４００およびユーザ端末５００から各広告動画を視聴可能な表示ページに表示された「いいね！」アイコンの押下入力を１票として受け付け、投票情報データベース１１３を更新する。
【００２７】
取得部１０３は、前記受付部１０２により作成者端末３００から広告動画の応募の受付が終了した時点から所定期間経過後、または所定間隔で、投稿管理情報データベース１１２から、各広告動画への投票総数や、投稿者の評価値を取得する。具体的には、取得部１０３は、投稿者の評価値のうち、投稿者のフォロワー数を影響値として、また、投票記事へのコメント件数、投票記事のリツイート件数、または投票記事へのコメントに含まれる文字総数のうち少なくともいずれか一つ以上を反響値として取得する。
【００２８】
決定部１０４は、所定の条件により、各広告動画に投票された票の総数、または投票評価値のいずれの値を用いて広告主にリコメンドされる広告動画となるリコメンド動画を選出するかを決定する。例えば、所定の条件として、広告動画の作成依頼に含まれる商品名またはサービス名が、投稿者と関連性があるものとして登録情報データベース１１１にあらかじめ登録された商品またはサービスの種類名が対応付けられた投稿者の識別情報が所定数以上ある場合が定められている。また、所定の条件の他の例として、広告動画の作成依頼から、広告動画の作成依頼に含まれる商品名またはサービス名を抽出し、抽出した商品名またはサービス名を含む投稿記事に対応付けられた投稿者の識別情報が登録情報データベース１１１に所定数以上ある場合が定められていてもよい。
【００２９】
また、決定部１０４は、取得部１０３により取得された反響値が所定値以上である場合に、投票評価値の値を用いてリコメンド動画を選出するように決定する。例えば、あらかじめ所定の条件として、投票記事へのコメントに含まれる文字総数が５００００字以上の場合と定められていた場合には、決定部１０４は、取得部１０３により取得された投票記事へのコメントに含まれる文字総数が５００００字以上ある場合に、投票評価値の値を用いてリコメンド動画を選出するように決定する。
【００３０】
選出部１０５は、決定部１０４による決定に従って、各広告動画の投票総数または投票評価値を算出し、算出した値が最も大きい広告動画をリコメンド動画として選出する。
【００３１】
算出部１０６は、選出部１０５により選出されたリコメンド動画の作成者および当該リコメンド動画に投票した投稿者それぞれに支払われる報酬額を、報酬情報データベース１１４に保存されている所定の算出基準に基づいて算出する。
【００３２】
決済処理部１０７は、算出部１０６により算出されたリコメンド動画の作成者および当該リコメンド動画に投票した投稿者に支払われる報酬額を、送受信部１０８を介して広告主端末２００に通知する。なお、本実施形態においては、広告主端末２００から、リコメンド動画の作成者および当該リコメンド動画に投票した投稿者に支払われる報酬額が直接リコメンド動画の作成者および当該リコメンド動画に投票した投稿者にそれぞれ送金される構成とするが、広告動画管理装置１００を介した送金としてもよい。これにより、リコメンド動画の作成者および当該リコメンド動画に投票した投稿者への送金状況や送金完了の有無を広告動画管理システム１の管理者が把握することができ、必要に応じて広告主をフォローすることができる。
【００３３】
送受信部１０８は、広告主端末２００、作成者端末３００、投稿者端末４００、ユーザ端末５００などの外部装置との間で各種情報を送受信する。例えば、送受信部１０８は、広告主端末２００から作成依頼を受信する。
【００３４】
通信制御インターフェース部１２０は、通信回線や電話回線等に接続されるアンテナやルータ等の通信装置（図示せず）に接続されるインターフェースである。すなわち、通信制御インターフェース部１２０は、広告主端末２００、作成者端末３００、投稿者端末４００等のような外部装置と通信回線を介してデータを通信する機能を有している。
【００３５】
次に、広告主端末２００の機能構成について説明する。図９は、本実施形態における広告主端末２００の機能構成の一例を示すブロック図である。図９に示すように、広告主端末２００は、制御部２０１と、記憶部２１０と、通信制御インターフェース部２２０と、入出力制御インターフェース部２３０と、表示部２３１と、音声出力部２３２と、入力部２３３とを備える。
【００３６】
記憶部２１０は、商品情報データベース２１１などを保存する。商品情報データベース２１１は、商品情報を格納する。ここで、商品情報とは、商品またはサービスに関する情報であり、商品名またはサービス名、商品またはサービスの製造元や提供元、原価、販売価格、販売またはリリースの時期などの情報が含まれる。
【００３７】
制御部２０１は、受付部２０２、取得部２０３、出力制御部２０４、送受信部２０５を備える。
【００３８】
受付部２０２は、送受信部２０５により外部装置から受信した情報や、入出力制御インターフェース部２３０から入力された情報を受け付ける。例えば、入出力制御インターフェース部２３０から入力された広告動画の作成依頼の送信指示を、入出力制御インターフェース部２３０を介して受け付ける。
【００３９】
取得部２０３は、入出力制御インターフェース部２３０からの指示に応じて記憶部１１０に保存されている各種情報を取得する。例えば、取得部２０３は、入出力御インターフェース部２３０から、商品情報に含まれる情報を取得する指示が入力された場合、商品情報データベース２１１から商品情報を参照し、該当する情報を取得する。
【００４０】
出力制御部２０４は、入力部２３３から操作された指示に従って、出力対象となる情報を、入出力制御インターフェース部２３０を介して表示部２３１または音声出力部２３２において出力可能な情報に変換し、変換した情報を表示出力し、または音声出力部２３２に音声情報を出力する。例えば、出力制御部２０４は、入力部２３３からのリコメンド動画の再生指示に従って、表示部２３１に動画を表示出力する。
【００４１】
送受信部２０５は、広告動画管理装置１００などの外部装置と各種情報を、通信制御インターフェース部２２０を介して送受信する。例えば、送受信部２０５は、広告動画管理装置１００からリコメンド動画を受信したり、当該リコメンド動画の採用の可否の通知を広告動画管理装置１００に送信したりする。
【００４２】
通信制御インターフェース部２２０は、通信回線や電話回線等に接続されるアンテナやルータ等の通信装置（図示せず）に接続されるインターフェースである。すなわち、通信制御インターフェース部２２０は、広告動画管理装置１００、作成者端末３００、投稿者端末４００等のような外部装置と通信回線を介してデータを通信する機能を有している。
【００４３】
表示部２３１は、各種の情報の入力を表示する手段であって、具体的には、液晶画面などから構成されるディスプレイ、モニタ、または、タッチパネル等の情報を出力する画面等である。音声出力部２３２は、広告主端末２００に内蔵された音声情報を出力するスピーカーである。入力部２３３は、各種の情報の入力を受け付ける手段であって、具体的には、表示部２３１と同様に液晶画面などから構成されるディスプレイ、モニタ、または、タッチパネルに加え、カメラレンズ（図示せず）などの情報を入力する媒体である。入出力制御インターフェース部２３０は、表示部２３１、音声出力部２３２、入力部３３３に対する制御を行う。
【００４４】
次に、作成者端末３００の機能構成について説明する。図１０は、本実施形態における作成者端末３００の機能構成を示すブロック図である。図１０に示すように、作成者端末３００は、制御部３０１と、記憶部３１０と、通信制御インターフェース部３２０と、入出力制御インターフェース部３３０と、表示部３３１と、入力部３３３とを備える。
【００４５】
記憶部３１０は、アプリ管理情報データベース３１１、動画情報データベース３１２などを保存する。アプリ管理情報データベース３１１は、動画作成用のアプリケーションなど制御部３０１において実行可能なアプリケーションを格納する。また、動画情報データベース３１２は、動画情報を格納する。ここで、動画情報とは、表示部３３１において表示可能な動画および音声を含む情報のことである。例えば、動画情報データベース３１２には、アプリ管理情報データベース３１１に格納されている動画作成用のアプリケーションを用いて作成された広告動画などを保存されている。
【００４６】
画像処理部３０３は、入出力制御インターフェース部３３０を介して入力部３３３からの操作指示に応じて画像情報を処理する。例えば、画像処理部３０３は、アプリ管理情報データベース３１１に格納されている動画作成用のアプリケーションを用いて動画を作成したり、送受信部３０５を介して外部装置から受信した動画情報を表示部３３１において表示可能に変換したりする。
【００４７】
出力制御部３０４は、入力部３３３から操作された指示に従って、出力対象となる情報を、入出力制御インターフェース部３３０を介して表示部３３１または音声出力部３３２において出力可能な情報に変換し、変換した情報を表示出力し、または音声出力部３３２に音声情報を出力する。例えば、出力制御部３０４は、入力部３３３からの広告動画の再生指示に従って、表示部２３１に動画を表示出力する。
【００４８】
送受信部３０５は、広告動画管理装置１００などの外部装置と各種情報を、通信制御インターフェース部３２０を介して送受信する。例えば、送受信部３０５は、広告動画管理装置１００に広告動画を送信する。
【００４９】
表示部３３１は、各種の情報の入力を表示する手段であって、具体的には、液晶画面などから構成されるディスプレイ、モニタ、または、タッチパネル等の情報を出力する画面等である。入力部３３３は、各種の情報の入力を受け付ける手段であって、具体的には、表示部３３１と同様に液晶画面などから構成されるディスプレイ、モニタ、または、タッチパネルに加え、カメラレンズ（図示せず）などの情報を入力する媒体である。入出力制御インターフェース部３３０は、表示部３３１や入力部３３３への制御を行う。
【００５０】
次に、投稿者端末４００の機能構成について説明する。図１１は、本実施形態における投稿者端末４００の機能構成を示すブロック図である。図１１に示すように、投稿者端末４００は、制御部４０１と、記憶部４１０と、通信制御インターフェース部３２０と、入出力制御インターフェース部３３０と、表示部３３１と、音声出力部３３２と、入力部３３３とを備える。なお、作成者端末３００と同様の機能および構成を備える各部については同一の符号を付し、説明を省略する。また、ユーザ端末５００の機能構成についても、投稿者端末４００と同様であるため説明を省略する。
【００５１】
記憶部４１０は、画像情報データベース４１２などを保存する。画像情報データベース４１２は、画像情報を格納する。例えば、入力部３３３の一つとしてカメラが入出力制御インターフェース部３３０に接続されている場合、画像情報データベース４１２には、当該カメラにより撮像された画像を格納する。
【００５２】
制御部４０１は、受付部３０２と、撮像制御部４０３と、出力制御部４０４と、送受信部４０５を備える。
【００５３】
撮像制御部４０３は、入力部３３３の一つとしてカメラが入出力制御インターフェース部３３０に接続されている場合に、当該カメラにより撮像する際のフラッシュ制御や、撮像された画像に対する補正処理などを制御する。
【００５４】
出力制御部４０４は、入力部３３３から操作された指示に従って、出力対象となる情報を、入出力制御インターフェース部３３０を介して表示部３３１または音声出力部３３２において出力可能な情報に変換し、変換した情報を表示出力し、または音声出力部３３２に音声情報を出力する。例えば、出力制御部４０４は、入力部３３３から入力された記事の文章情報や画像などを表示部３３１に表示する。
【００５５】
次に、広告動画管理装置１００による投票数の算出方法の決定処理について説明する。図１２は、広告動画管理装置１００による投票数の算出方法の決定処理の流れを示すフローチャートである。
【００５６】
送受信部１０８は、広告主端末２００から広告動画の作成依頼を受信する（ステップＳ１）。決定部１０４は、ステップＳ１において受信した広告動画の作成依頼に含まれる商品またはサービスの名称が分類されている商品またはサービス名の種類を特定する。決定部１０４は、特定した商品またはサービス名の種類が対応付けられているユーザＩＤの数、または投票記事の反響指数を取得する（ステップＳ２）。決定部１０４は、登録情報データベース１１１を参照し、ステップＳ２において取得した商品またはサービスの種類名が登録されている投稿者の投稿者ＩＤ、または投票記事の反響指数が所定数以上あるか否かを判定する（ステップＳ３）。決定部１０４は、ステップＳ３において、ステップＳ２において特定した商品またはサービスの種類名が登録されている投稿者の投稿者ＩＤ、または投票記事の反響指数が所定数以上あると判定した場合（ステップＳ３：Ｙｅｓ）、重み付け投票評価値を用いて投票数を算出するように決定する（ステップＳ４）。一方、ステップＳ３において、ステップＳ２において特定した商品またはサービスの種類名が登録されている投稿者の投稿者ＩＤ、または投稿記事の反響指数が所定数以上ないと判定した場合（ステップＳ３：Ｎｏ）、総投票数を用いて投票数を算出するように決定する（ステップＳ５）。
【００５７】
次に、広告動画管理システム１によるリコメンド動画の選出処理について説明する。図１３、広告動画管理システム１によるリコメンド動画の選出処理の流れを示すシーケンス図である。図１３は、広告主端末２００と、広告動画管理装置１００と、作成者端末３００と、投稿者端末４００と、ユーザ端末５００とによる処理の流れを示す。
【００５８】
広告主端末２００は広告動画管理装置１００に広告動画の作成依頼を送信する（ステップＳ１１）。広告動画管理装置１００は作成者端末３００に広告動画の作成依頼を送信する（ステップＳ１２）。作成者端末３００は、広告動画を作成する（ステップＳ１３）。作成者端末３００はステップＳ１３において作成した広告動画管理装置１００に広告動画を送信する（ステップＳ１４）。
【００５９】
広告動画管理装置１００は、ステップＳ１４で受信した複数の広告動画からリコメンド動画を選出するための投票依頼を送信する（ステップＳ１５）。具体的には、広告動画管理装置は、所定の広報ページにおいてリコメンド動画への投票を募集してもよいし、投稿者端末４００にリコメンド動画投票の募集を依頼するメールを配信してもよい。投稿者端末４００は、リコメンド動画の投票記事を作成する（ステップＳ１６）。投稿者端末４００は、ステップＳ１６において作成したリコメンド動画の投票記事を広告動画管理装置１００に送信する（ステップＳ１７）。ここで、投票記事が広告動画管理装置１００に送信されることにより、投稿者から投票記事に掲載される広告動画に投票されることとなる。広告動画管理装置１００は、ステップＳ１７において受信した投票記事を広告動画管理装置１００が管理する投稿ページに掲載する（ステップＳ１８）。ユーザ端末５００は、ステップＳ１８において広告動画管理装置１００により掲載された投票記事に対して投票アクションを送信する（ステップＳ１９）。具体的には、ユーザ端末５００は、広告動画管理装置１００が管理する投稿者の投票記事が掲載された投稿ページに表示される「いいね！」アイコンを押下したり、コメント欄にコメントを書き込んだりする。広告動画管理装置１００は、集計方法を決定し（ステップＳ２０）し、リコメンド動画を選出する(ステップＳ２１)。
【００６０】
次に、広告動画管理システム１によるリコメンド動画の作成および選出に対する報酬支払処理について説明する。図１４は、広告動画管理システム１によるリコメンド動画の作成および選出に対する報酬支払処理の流れを示すシーケンス図である。図１４図１３と同様、広告主端末２００と、広告動画管理装置１００と、作成者端末３００と、投稿者端末４００と、ユーザ端末５００とによる処理の流れを示す。
【００６１】
広告動画管理装置１００は、広告主端末２００にリコメンド画像を送信する（ステップＳ３１）。広告主端末２００は、確認通知を広告動画管理装置に送信する（ステップＳ３２）。広告動画管理装置１００は、広告主と締結した報酬額基準に基づいてリコメンド動画の作成者に支払われる報酬額およびリコメンド動画に投票した投稿者に支払われる報酬額を算出する（ステップＳ３３）。広告動画管理装置１００は、ステップＳ３３において算出したリコメンド動画の作成者に支払われる報酬額およびリコメンド動画に投票した投稿者に支払われる報酬額を広告主端末２００に通知する（ステップＳ３４）。広告主端末２００は、ステップＳ３４において受信した通知が示す報酬額をリコメンド動画の作成者（作成者端末３００）およびリコメンド動画に投票した投稿者（投稿者端末４００）それぞれに送金する（ステップＳ３５）。
【００６２】
図１５は、本実施形態における広告動画管理装置１００を実現可能なコンピュータ２０の一例を示すハードウェア構成図である。図１５に示すように、コンピュータ２０は、ＣＰＵ（Central  Processing  Unit）２１、ＲＡＭ（Random  Access  Memory）２２、ＲＯＭ（Read  Only  Memory）２３、ＨＤＤ（Hard  Disk  Drive）２４、通信インターフェース（Ｉ／Ｆ）２５、入出力インターフェース（Ｉ／Ｆ）２６、およびメディアインターフェース（Ｉ／Ｆ）２７を備える。
【００６３】
ＣＰＵ２１は、ＲＯＭ２３またはＨＤＤ２４に格納されたプログラムにより動作し、各部の制御を行う。ＲＯＭ２３は、コンピュータ２０の起動時にＣＰＵ２１によって実行されるブートプログラムや、コンピュータ２０のハードウェアに依存するプログラム等を格納する。
【００６４】
ＨＤＤ２４は、ＣＰＵ２１によって実行されるプログラムおよび当該プログラムによって使用されるデータ等を格納する。通信インターフェース２５は、通信回線を介して外部機器から受信したデータをＣＰＵ２１に送り、ＣＰＵ２１が生成したデータを、通信回線を介して外部機器に送信する。
【００６５】
ＣＰＵ２１は、入出力インターフェース２６を介して、ディスプレイやプリンタ等の出力装置、および、キーボードやマウス等の入力装置を制御する。ＣＰＵ２１は、入出力インターフェース２６を介して、入力装置からデータを取得する。また、ＣＰＵ２１は、生成したデータを、入出力インターフェース２６を介して出力装置へ出力する。
【００６６】
メディアインターフェース２７は、記憶媒体２８に格納されたプログラムまたはデータを読み取り、ＲＡＭ２２を介してＣＰＵ２１に提供する。ＣＰＵ２１は、当該プログラムを、メディアインターフェース２７を介して記憶媒体２８からＲＡＭ２２上にロードし、ロードしたプログラムを実行する。記憶媒体２８は、例えばＤＶＤ（Digital  Versatile  Disc）等の光学記憶媒体、磁気記憶媒体、または半導体メモリ等である。
【００６７】
コンピュータ２０が本実施形態における広告動画管理装置１００として機能する場合、コンピュータ２０のＣＰＵ２１は、ＲＡＭ２２上にロードされたプログラムを実行することにより、受付部１０２、取得部１０３、決定部１０４、選出部１０５、算出部１０６、決済処理部１０７、送受信部１０８の各機能を実現する。また、ＨＤＤ２４には、登録情報データベース１１１、投稿管理情報データベース１１２、投票情報データベース１１３、報酬情報データベース１１４内のデータが格納される。
【００６８】
広告動画管理プログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。コンピュータ２０のＣＰＵ２１は、これらのプログラムを、メディアインターフェース２７を介して上記の記憶媒体から読み取って実行するが、他の例として、外部装置から、通信回線を介してこれらのプログラムを取得してもよい。
【００６９】
なお、広告動画管理プログラムは、例えば、ActionScript、JavaScript（登録商標）、Python、Rubyなどのスクリプト言語、C言語、C＋＋、C＃、Objective-C、Swift、Java（登録商標）などのコンパイラ言語などを用いて実装できる。
【００７０】
このように、本実施形態における広告動画管理システム１によれば、需要者に与える影響力の高い広告動画を選出することができるとともに、選出された広告動画の作成者が適正な待遇を受けることができる。加えて、選出された広告動画に投票した投稿者にも適切な待遇が与えられるため、投稿者に投票活動をより慎重に吟味された内容とする動機付けを与えることができる。
【符号の説明】
【００７１】
１      広告動画管理システム
１０    ネットワーク
１００  広告動画管理装置
１０１、２０１、３０１、４０１  制御部
１０２  受付部
１０３  取得部
１０４  決定部
１０５  選出部
１０６  算出部
１０７  決済処理部
１０８  送受信部
１１０  記憶部
１１１  登録情報データベース
１１２  投稿管理情報データベース
１１３  投票情報データベース
１１４  報酬情報データベース
１２０、２２０、３２０  通信制御インターフェース部
２３０、３３０  入出力制御インターフェース部
２３１、３３１  表示部
２３２、３３２  音声出力部
２３３、３３３  入力部
【図１】
2020057323.tif 000003
【図２】
2020057323.tif 000004
【図３】
2020057323.tif 000005
【図４】
2020057323.tif 000006
【図５】
2020057323.tif 000007
【図６】
2020057323.tif 000008
【図７】
2020057323.tif 000009
【図８】
2020057323.tif 000010
【図９】
2020057323.tif 000011
【図１０】
2020057323.tif 000012
【図１１】
2020057323.tif 000013
【図１２】
2020057323.tif 000014
【図１３】
2020057323.tif 000015
【図１４】
2020057323.tif 000016
【図１５】
2020057323.tif 000017